(57)【要約】  本発明は、消費者向製品の貯蔵および分配のための容器の一部を形成するシール（１０）を提供する。容器は、丸薬、錠剤もしくはカプセルを包装するための従来のブリスター・パック、または所定の投薬計画に従った引き続く処方のための混合された薬剤を編成および貯蔵するための複数のキャビティを有する容器の代わりに使用できる。容器は、消費者向製品を受容するための１つまたは２つ以上の個別のキャビティ（４）が形成されている略平らな上面（２）を有するトレイ（１）を含む。シール（１０）は、カバーフィルム（１２）およびバリアフィルム（２０）を含む。カバーフィルム（１２）は、キャビティごとに除去可能な部分（１６）を画定するあらかじめ形成された分離の線（１８）を、除去可能な部分がこの分離の線に沿って除去されるまで消費者向製品をキャビティ（４）内に留めておくために有する。バリアフィルム（２０）は、剥離可能な接着剤の層によってカバーフィルム（１２）に固定され、使用時に対応するキャビティを覆うように成形され、且つ、サイズを調整された除去可能な部分（１６）ごとにバリアパッチ（２６）の外周を画定するあらかじめ形成された分離の線（２４）を有する。バリアフィルム（２０）は、ヒートシール接着剤（２８）によって、トレイ（１）の略平らな上面（２）に固定されるように適合される。シール（１０）は、ヒートシール装置による工業的応用に特に好適である。
2013544714.tif 000002
【特許請求の範囲】
【請求項１】
消費者向製品を受容するための１つまたは２つ以上の個別のキャビティ（４）が形成されている略平らな上面（２）を有するトレイ（１）を含んでいる、前記消費者向製品の貯蔵および分配のための容器に使用されるシールであって、該シールは、
前記消費者向製品を前記１つまたは２つ以上のキャビティ（４）内に留めておくための前記１つまたは２つ以上のキャビティをシールするカバーフィルム（１２）であって、キャビティごとに除去可能な部分（１６）を画定するあらかじめ形成された分離の線（１８）を、前記除去可能な部分が該分離の線に沿って除去されるまで前記消費者向製品を前記キャビティ内に留めておくために有するカバーフィルム（１２）、および、
剥離可能な接着剤の層（３０）によって分離可能に前記カバーフィルム（１２）に固定されるバリアフィルム（２０）であって、使用時に対応するキャビティ（４）を覆うように成形され、且つ、サイズを調整された除去可能な部分（１６）ごとにバリアパッチ（２６）の外周を画定するあらかじめ形成された分離の線（２４）を有するバリアフィルム
を含んでおり、ここで、
使用時に前記トレイ（１）の前記略平らな上面（２）に接触するように置かれる前記バリアフィルム（２０）の平らな表面の少なくとも一部が、熱が加えられると前記バリアフィルム（２０）を前記トレイの前記略平らな上面に固定するように活性化されるヒートシール接着剤（２８）でコーティングされる
消費者向製品の貯蔵および分配のための容器に使用されるシール。
【請求項２】
１つまたはそれぞれの除去可能な部分（１６）の外周が、前記カバーフィルム（１２）全体にわたって伸びるあらかじめ形成されたカットライン、あらかじめ切り込みを付けられるかもしくはあらかじめミシン目を入れられた引き裂き線、またはこれらのあらゆる組み合わせによって画定される請求項１記載のシール。
【請求項３】
１つまたはそれぞれのバリアパッチ（２６）の外周が、前記バリアフィルム（２０）の材料全体にわたって伸びるあらかじめ形成されたカットライン、あらかじめ切り込みを付けられるかもしくはあらかじめミシン目を入れられた引き裂き線、またはこれらのあらゆる組み合わせによって画定される請求項１または２記載のシール。
【請求項４】
１つまたはそれぞれの除去可能な部分（１６）を画定する前記分離の線（１８）が、前記対応するキャビティ（４）の外周を完全に囲んで、前記対応するバリアパッチ（２６）の外周の内側だけに伸びる請求項１〜３のいずれか１項に記載のシール。
【請求項５】
１つまたはそれぞれの除去可能な部分（１６）が、対応する前記分離の線（１８ａ）の切れ目によって画定されるブリッジ領域（１７）によって前記カバーフィルムの残りの部分に付けられる請求項１〜３のいずれか１項に記載のシール。
【請求項６】
１つまたはそれぞれのバリアパッチ（２６）が、対応する前記キャビティ（４）の外周を完全に囲むように伸びる前記トレイ（１）の前記略平らな上面（２）の領域を使用時に覆うように対応する前記除去可能な部分（１６）より大きい請求項１〜５のいずれか１項に記載のシール。
【請求項７】
１つまたはそれぞれのバリアパッチ（２６）が、前記除去可能な部分が前記カバーフィルム（１２）の残りの部分から解放されるときに、対応する前記除去可能な部分（１６）の外周を画定する前記分離の線（１８）のすぐ外側で前記カバーフィルム（１２）の狭い領域から剥離される請求項６に記載のシール。
【請求項８】
１つまたはそれぞれの除去可能な部分（１６ｂ）がつまみ部分（１９）を含む請求項１〜３のいずれか１項に記載のシール。
【請求項９】
１つまたはそれぞれのバリアパッチが、少なくとも部分的につまみ部分の真下に伸びる請求項８に記載のシール。
【請求項１０】
１つまたはそれぞれのバリアパッチ（２６）が、前記トレイ（１）の前記上面（２）に固定されない請求項１〜９のいずれか１項に記載のシール。
【請求項１１】
蒸気遮断性、遮光性、酸素遮断性および静電気遮断性のうち１つまたは２つ以上を有する請求項１〜１０のいずれか１項に記載のシール。
【請求項１２】
前記カバーフィルム（１２）が除去可能な部分（１６）の配列を画定するあらかじめ形成された分離の線（１８）を有し、
前記バリアフィルム（２０）がバリアパッチ（２６）の配列を画定するあらかじめ形成された分離の線（２４）を有し、
それぞれのバリアパッチ（２６）が除去可能な部分（１６）に対応しており、使用時に前記キャビティ（４）の１つの上を覆うように成形され、且つ、サイズを調整されている請求項１〜１１のいずれか１項に記載のシール。
【請求項１３】
前記カバーフィルム（１２）が、金属箔、金属化ポリマーフィルムもしくは紙のシート、単層もしくは多層構造を有するプラスチックフィルム、またはこれらのあらゆる組み合わせである請求項１〜１２のいずれか１項に記載のシール。
【請求項１４】
前記バリアフィルム（２０）が、金属箔、金属化ポリマーフィルムもしくは紙のシート、単層もしくは多層構造を有するプラスチックフィルム、またはこれらのあらゆる組み合わせである請求項１〜１３のいずれか１項に記載のシール。
【請求項１５】
前記バリアフィルム（２０）の平らな表面のほぼ全体が前記接着剤でコーティングされる請求項１〜１４のいずれか１項に記載のシール。
【請求項１６】
前記バリアフィルム（２０）の平らな表面が前記接着剤（２８）のパターンでコーティングされる請求項１４のいずれかに記載のシール。
【請求項１７】
消費者向製品を受容するための１つまたは２つ以上の個別のキャビティ（４）が形成されている略平らな上面（２）を有するトレイ（１）を含んでいる、前記消費者向製品の貯蔵および分配のための容器に請求項１〜１６のいずれか１項に記載のシールをつける方法であって、
１つまたはそれぞれのバリアパッチ（２６）が対応するキャビティ（４）を覆うように、前記トレイ（１）の前記略平らな上面（２）にシールを置く工程、および
ヒートシール接着剤（２８）を活性化するために熱を加えることによって前記バリアフィルム（２０）を前記トレイ（１）の前記略平らな上面（２）に固定する工程
を含んでいる方法。
【請求項１８】
シーリング装置を使用して実行される請求項１７記載の方法。
【請求項１９】
シールが前記シーリング装置に手動で供給される請求項１８記載の方法。
【請求項２０】
複数のシールが供給ユニットから前記シーリング装置に連続的に供給される請求項１８記載の方法。
【請求項２１】
消費者向製品の貯蔵および分配のための容器であって、
消費者向製品を受容するための１つまたは２つ以上の個別のキャビティ（４）が形成されている略平らな上面（２）を有するトレイ（１）と、
前記消費者向製品を前記１つまたは２つ以上のキャビティ内に留めておくために前記１つまたは２つ以上のキャビティ（４）をシールするカバーフィルム（１２）、および、剥離可能な接着剤の層（３０）によって解放可能に前記カバーフィルム（１２）に固定されるバリアフィルム（２０）を含むシール
とを含んでおり、
前記カバーフィルム（１２）が、キャビティごとに除去可能な部分（１６）を画定するあらかじめ形成された分離の線（１８）を、前記除去可能な部分が該分離の線に沿って除去されるまで前記消費者向製品を前記キャビティ内に留めておくために有し、
前記バリアフィルムが、使用時に対応するキャビティ（４）を覆うように成形され、且つ、サイズを調整された除去可能な部分（１６）ごとにバリアパッチ（２６）の外周を画定するあらかじめ形成された分離の線（２４）を有しており、ここで、
前記バリアフィルム（２０）が、ヒートシール接着剤（２８）によって前記トレイ（１）の前記略平らな上面（２）に固定される
消費者向製品の貯蔵および分配のための容器。
【発明の詳細な説明】
【技術分野】
【０００１】
本発明は、消費者向製品を貯蔵および分配するための容器に関する。消費者向製品という語は、以下の（すべてを網羅しているわけではない）リストに挙げられるような多種多様な製品を含むことが意図される。調理済みの食事を含む、即席の食品、予備調理された食品、調理済みの食品、またはオーブンで温めるだけの食品、菓子、機器およびＤＩＹ品目、化粧品、種子、動物および魚の餌、電子部品、医療器具および包帯、ならびに、丸薬、錠剤およびカプセルなどの医薬品および薬剤。
【０００２】
この容器は、丸薬、錠剤およびカプセルを包装する従来のブリスター・パックの代わりに用いられてもよいし、所定の投薬計画に従った引き続く処方のために混合される薬剤を編成および貯蔵するために用いられてもよい。このような混合される薬剤の容器の本質は、１週間またはそれ以上の期間に及ぶ混合される薬剤の投薬計画を前もって編成でき、その後、患者または看護師が、投薬計画による各時点で投与されるべき１つまたは２つ以上の丸薬、錠剤および／またはカプセルを、その期間にわたって所定の回数で容器から取り出すことができるというものである。
【背景技術】
【０００３】
ブリスター・パックは丸薬、錠剤およびカプセルの貯蔵および分配のためのものとして当然ながら公知であって、これらはマルチキャビティトレイ（multi-cavity tray）においてキャビティに個別に貯蔵されており、キャビティをカバーする破ることが可能なフィルムまたは箔を突き破ってそれぞれの丸薬、錠剤またはカプセルを押し出すことによって取り出される。フィルムまたは箔のカバーは、トレイのキャビティ内の薬剤を露出するために剥がされ、または引き離され得る紙またはプラスチックのフィルムであってもよいが、一般には、容易に破ることができ、かつ蒸気に不浸透性であるという２つの利点を有するアルミニウム箔である。このようなブリスター・パックは通常、各キャビティに同一の薬剤を一回分のみ保持する。
【０００４】
混合された薬剤用のブリスター・パックが提案されており、これは薬剤師によって充填されるために、より大きなキャビティを有し、マルチキャビティトレイにおける各キャビティは、混合された薬剤を入れられ得る。典型的には、トレイは２×７、３×７、４×７、５×７列のキャビティを有していてもよく、これは、７日間にわたる１日に２、３、４または５回の所定の投薬回数、または２、３、４または５週間にわたって１日に１回として処方された投薬に対応している。例えば、４×７のトレイは、１週間にわたって毎日朝食時、昼食時、夕方、就寝直前に服用されるべき薬剤が入れられてもよく、その後、充填されたキャビティは、破ることが可能な、または順次破ることが可能なフィルムまたは箔のカバーを用いてシールされる。規定の投薬計画にしたがって内容物を投与するために、パック上に印刷された説明が、個別のキャビティを開けるための所期の順序を明らかにする。
【０００５】
破ることが可能なカバーシートを用いる従来のブリスター・パックのデメリットは、カバーシートを通して薬剤を押し出す際に、患者によっては、特に高齢の患者は困難さを感じるという点、最初に充填した後にキャビティ全体にわたってアルミニウムのカバーシートをシールするために高額なラミネート装置が必要であるという点、および薬剤が下から箔を突き破って押し上げられる場合に、投与されるべき薬剤を含むキャビティを選択する際にユーザが困難さを感じるという点である。誤ったキャビティが間違って開封された場合、カバーシートが破られているので再びシールすることは不可能である。
【０００６】
剥離可能なカバーシートを用いるブリスター・パックの主なデメリットは、あらかじめ選択された１つのキャビティの内容物のみを露出するために、カバーシートの選択された単一の部分を剥がしたり引き離したりする際にユーザが困難さを感じることである。これは、あらかじめ選択されたキャビティをシールするカバーシートのセグメントの角またはつまみ部分を指の爪でこすることによって為され得るが、セグメントを完全に剥がすために角をつかむことは、時として相当な手先の器用さ、および場合によっては良好な視力を必要とし、これは多くの高齢のユーザの能力を超えるものである。また、カバーシートをトレイに接着するために粘着性の剥離可能な接着剤が用いられる場合には、トレイの内容物が接着剤と接触することを防ぐことが望ましい。最後に、フィルムカバーのシートは蒸気の不浸透性が金属箔ほど高くない場合があり、多湿な周囲条件で貯蔵することによって薬剤が劣化することがあるので、充填日の前に、混合された薬剤用のブリスター・パックに７日を超える投与薬剤をあらかじめ入れておくことは、薬剤師側にとっては気が進まないことである。
【０００７】
本願の出願人による特許文献１は、上記の問題またはデメリットの一部または全てを克服することを目的とした容器について記載している。この容器は、消費者向製品を貯蔵および分配するためのものであって、略平らな上面を有するトレイを含んでおり、この略平らな上面には消費者向製品を受容する１つまたは２つ以上の個別のキャビティが形成されている。カバーフィルムは、消費者向製品を１つまたは２つ以上のキャビティ内に留めておくために１つまたは２つ以上のキャビティをシールする剥離可能な接着剤の層によって、トレイの略平らな上面に接着される。カバーフィルムは、キャビティごとに剥ぎ取り部分を画定するあらかじめ形成された引き裂き線を有し、これは、その引き裂き線に沿って切り取ることによってそれが除去されるまで消費者向製品をキャビティ内に留めておくためである。実際は、１つまたはそれぞれの剥ぎ取り部分はカバーフィルムの材料全体にわたって伸びているカットラインによっても画定され得るということが容易に理解されるだろう。カバーフィルムの、１つまたはそれぞれの剥ぎ取り部分は、使用時に結合されているキャビティを覆う領域において低い蒸気透過性を有し、こうした低い蒸気透過性は、高い防湿性を備え、対応するキャビティを覆うように成形され、且つ、サイズを調整されたバリアパッチ（barrier patch）によって作り出されている。１つまたはそれぞれのバリアパッチは、カバーフィルムをトレイの上面に接着する剥離可能な接着剤の同一の層によって、カバーフィルムの下側に接着される。
【０００８】
１つまたはそれぞれの剥ぎ取り部分の真下のバリアパッチは、以下のような一枚のバリアフィルム（barrier film）のシートから作り出され得る。一枚のバリアフィルムのシートは、剥離可能な接着剤によってカバーフィルムの下側に固定される。バリアフィルムは耐湿性の、１つまたはそれぞれのバリアパッチの外周を画定するあらかじめ形成された引き裂き線を有するので、カバーフィルムをトレイの略平らな上面に固定するために適用する直前に、カバーフィルムからバリアフィルムの大半を剥離することは、トレイへ接着するために必要な領域において剥離可能な接着剤を露出する一方で、カバーフィルムの、１つまたはそれぞれの剥ぎ取り部分の下側に接着されたバリアパッチはそのままにする。実際は、１つまたはそれぞれのバリアバッチは、バリアフィルムの材料全体にわたって伸びているカットラインによっても画定され得るということが容易に理解されるだろう。
【０００９】
このバリアフィルムのシートは、取り除かれた時に剥離可能な接着剤の位置固定領域をカバーフィルムの下側に露出する剥ぎ取り細片を画定するために、その一端に近いさらなる所定の引き裂き線（またはカットライン）を有していてもよく、これはバリアフィルムの大半を剥離する前にトレイの端部にカバーフィルムの端部を接着し、これをキャビティ上に接着するためである。カバーフィルムをトレイの上面に接着する工程を補助するために、トレイは直立したカバーフィルム配置手段を有し得る。カバーフィルムは、カバーフィルムをトレイに接着する前に１つまたは２つ以上のキャビティと対応する剥ぎ取り部分とが一致するようなトレイ上のカバーシートの正確な位置付けのために協働する手段を有し得る。
【００１０】
本願の出願人の特許文献２は同様の容器を開示しているが、ここでカバーフィルムの剥ぎ取り部分は、トレイの略平らな上面を覆い、ユーザによって容易に掴まれ得るつまみ部分を含む。トレイの上面は、カバーフィルムの残りの平面からつまみ部分を上方へ曲げるために、使用時に１つまたはそれぞれのつまみ部分の真下に位置付けられる上方へ伸びる突出部を含む。
【００１１】
特許文献１および特許文献２が、バリアフィルムにカバーフィルムを固定するために使用される剥離可能な接着剤の同一の層によって、カバーフィルムがトレイに固定される、「コールドシール」プロセスについて記載しているということが容易に理解されるだろう。
【００１２】
バリアフィルムの大部分がカバーフィルムから剥離されて剥離可能な接着剤が露出した後、カバーフィルムは、手作業でトレイの上面に固定され得る。カバーフィルムはまた、工業的な「コールドシール」プロセスを使ってトレイに固定することもできる。典型的なプロセスには、高速のオンラインシーリング装置を使ってカバーフィルムをトレイに固定する工程が含まれることがある。これには通常、連続したリールとして積層シール（つまり、カバーフィルムとバリアフィルムとを組み合わせたもの）を供給することが必要となり、またカバーフィルムを自動的にトレイにつけるためには、シーリングのプロセスにおいて余分なバリアフィルムが取り除かれ必要がある。従って、バリアフィルムは、リサイクルの前に廃棄用シリンダーに巻かれるか、または廃棄用容器に入れられる必要がある。特許文献２に記載されるシールの場合、カバーフィルムをトレイに固定する作業のために、つまみ部分が、上方に伸びる突出部によってカバーフィルムの残りの部分の平面から上方に曲げられる。このため、工業的な「コールドシール」プロセスを使って適切に実施することが難しくなる恐れがある。
【先行技術文献】
【特許文献】
【００１３】
【特許文献１】国際公開第２００５／０２３６７０号
【特許文献２】欧州特許第１３５７０５０号明細書
【発明の概要】
【課題を解決するための手段】
【００１４】
本発明の目的は、工業的な「コールドシール」プロセスの使用によって生じる、上記の課題およびデメリットの一部またはすべてを克服することであり、本発明は、消費者向製品を受容するための１つまたは２つ以上の個別のキャビティが形成されている略平らな上面を有するトレイを含んでいる、消費者向製品の貯蔵および分配のための容器に使用される改良されたシールを提供する。シールは、消費者向製品を１つまたは２つ以上のキャビティに留めておくために１つまたは２つ以上のキャビティをシールするカバーフィルムであって、除去可能な部分がその分離の線に沿って除去されるまでそのキャビティ内に消費者向製品を留めておくように、キャビティごとに除去可能な部分を画定するあらかじめ形成された分離の線を有するカバーフィルム、および、剥離可能な接着剤の層によって分離可能にカバーフィルムに固定されるバリアフィルムであって、使用時に対応するキャビティを覆うように成形され、且つ、サイズを調整された除去可能な部分ごとにバリアパッチの外周を画定するあらかじめ形成された分離の線を有するバリアフィルムを含んでおり、ここで、使用時にトレイの略平らな上面に接触するように置かれるバリアフィルムの平面の少なくとも一部が、熱が加えられると、バリアフィルムをトレイの略平らな上面に固定するように活性化されるヒートシール接着剤でコーティングされている。
【００１５】
バリアフィルムは、剥離可能な接着剤の層によってカバーフィルムに固定されるため、大部分のバリアフィルムが剥離されることによって剥離可能な接着剤を露出させる従来の「コールドシール」プロセスを使ってこのシールをトレイに固定することが、依然として可能である。しかしながら、この改良されたシールは、「２つの用途」を有するシールであって、特許文献１および特許文献２に記載されるシールとは異なり、バリアフィルムは、熱融着接着剤のコーティングが活性化される「ヒートシール」プロセスを使って、トレイに直接接着できる。シールを適用する者には、剥離可能な接着剤の層を使ってカバーフィルムをトレイの上面に固定するか、または「ヒートシール」プロセスを使ってバリアフィルムをトレイの上面に固定するか、いずれかの選択肢がある。
【００１６】
「ヒートシール」プロセスを使ってトレイにシールを固定することは、工業的に応用されるシーリング装置が、より簡易なデザインを有してよい、ということを意味する。これは、シーリングプロセスにおいて、バリアフィルムがカバーフィルムから取り外される必要がないからである。シールはまた、連続したリールではなく、シート状で（つまり、手動で供給できるか、または自動搬送機構装置に積み重ねできる個別のシートとして）、シーリング装置に供給されてもよい。こうすることは特に有利である。なぜなら、連続したリールは、ローラーおよびガイドといった複雑なシステムを通して供給する必要があり、適切に揃っていなければ、シーリング装置の中断時間が長くなり、他の作業が困難になるからである。
【００１７】
１つまたはそれぞれの除去可能な部分の外周は、カバーフィルムの材料全体にわたって伸びるあらかじめ形成されたカットライン、あらかじめ切り込みを付けられるか、もしくはあらかじめミシン目を入れられた引き裂き線、またはこれらのあらゆる組み合わせによって画定できる。同様に、１つまたはそれぞれのバリアパッチの外周は、バリアフィルムの材料全体にわたって伸びるあらかじめ形成されたカットライン、あらかじめ切り込みを付けられるか、もしくはあらかじめミシン目を入れられた引き裂き線、またはこれらのあらゆる組み合わせによって画定できる。あらかじめ切り込みを付けられた引き裂き線は、カバーフィルムまたはバリアフィルムの厚みを貫通しないように途中まで切り取られるかまたは切り込みが入れられるように、カバーフィルムまたはバリアフィルムの表面にナイフを押しあてることによってつくられてよい。
【００１８】
あらかじめ切り込みを付けられる引き裂き線の深さや、あらかじめミシン目を入れられた引き裂き線のミシン目の大きさおよび形状は、あらゆる所定の応用に対して適切な大きさの分離に対する抵抗を備えるように決定され得る。分離に対する抵抗を増やすことは、除去可能な部分が誤って除去される可能性や、例えば分配容器が互いに積み重ねられる場合に下層のトレイの個別のキャビティに押し込まれる可能性を軽減できる。あらかじめ切り込みを付けられた引き裂き線、あらかじめミシン目を入れられた引き裂き線およびカットラインは、ロータリーダイカッター（rotary die cutter）などを用いて形成され得る。
【００１９】
１つまたはそれぞれの除去可能な部分を画定する分離の線は、対応するキャビティの外周を完全に囲うように、かつ、対応するバリアパッチの外周内でのみ伸びることができる。あるいは、１つまたはそれぞれの除去可能な部分は、分離の線が対応するキャビティの外周を完全には囲わないで伸びるようにして、ブリッジ領域によってカバーフィルムの残りの部分に付けられ得る。従って、除去可能な部分が解放されてキャビティの内容物が分配された後、除去可能な部分はカバーフィルムに付けられたままとなる。こうしたアレンジは、キャビティの内容物が分配される度に、個別の除去可能な部分および対応するバリアパッチが廃棄されることがないため、より環境にやさしいとみなされる。
【００２０】
本発明の好ましいアレンジにおいて、１つまたはそれぞれのバリアパッチの外周を画定するあらかじめ形成された分離の線は、上を覆っている除去可能な部分の外周を画定するあらかじめ形成された分離の線の外側にあり、バリアパッチが、対応する除去可能な部分よりも大きくなっている。この場合、バリアパッチは、使用時に、対応するキャビティの外周を完全に囲んで広がるトレイの略平らな上面の狭い境界または領域を覆うことができる。バリアパッチはまた、上を覆っている除去可能な部分が解放されたときに、除去可能な部分の外周を画定する分離の線のすぐ外側のカバーフィルムの狭い境界から剥離される必要がある。１つまたはそれぞれの除去可能な部分の外周を画定するあらかじめ形成された分離の線が、除去可能な部分の外周の全体を囲んでカバーフィルムの材料全体にわたって伸びるカットラインである場合、個別の除去可能な部分とカバーフィルムの残りの部分とは、物理的に接続されない。従って、個別の除去可能な部分は、通常、それが接着される、対応するより大きいバリアパッチによってカバーフィルムの残りの部分の面内の位置に保持される。１つまたはそれぞれのバリアパッチがトレイの上面に固定されず、カバーフィルムにのみ固定されるということに留意することが重要である。あらゆる疑念を回避するために、１つまたはそれぞれのバリアパッチは、対応する除去可能な部分より大きくても、同じ大きさでも、またはこれよりも小さくてもよく、またトレイの対応するキャビティより大きく、同じ大きさに、または小さく成形され、且つ、サイズを調整されてもよいということに留意されたい。
【００２１】
カバーフィルムの除去可能な部分が一度解放されると、簡単には対応するキャビティ上に付着し直すことはできないため、好ましいアレンジは、不正な開封の跡がわかる特性を取り入れたものとなることがある。これは、バリアパッチが、使用時に、対応するキャビティの外周を完全に囲んで広がるトレイの略平らな上面の領域を覆うように、その上を覆う除去可能な部分よりも大きいからである。除去可能な部分および付着するバリアパッチが一度解放されると、除去可能な部分の外周を画定する分離の線のすぐ外側に、カバーフィルムの狭い境界ができる。除去可能な部分が解放される前に、この狭い境界がバリアパッチの外周に固定されることが容易に理解されるであろう。実際、カバーフィルムの下側は剥離可能な接着剤でカバーされるため、この狭い境界はトレイの略平らな上面に付着しやすい。このようにすると、解放された除去可能な部分を対応するキャビティに付着し直すために、バリアパッチの外周縁をスライドさせてカバーフィルムとトレイの上面との間に戻すことは非常に難しくなる。不正な開封の跡がわかる特性は、食品ならびに丸薬、錠剤およびカプセルといった薬剤の貯蔵および分配のために、この容器が使用される場合、特に重要である。
【００２２】
カバーフィルムの１つまたはそれぞれの除去可能な部分は、特許文献２に記載されるような、対応するつまみ部分を含んでよい。この場合、トレイの上面は、好ましくは、このつまみ部分をカバーフィルムの残りの部分の平面から上方に曲げるために、使用時に１つまたはそれぞれのつまみ部分の真下に位置するように置かれる上方に伸びる突出部を有することになる。シールがトレイに接着または固定されている場合、１つまたはそれぞれのつまみ部分はカバーフィルムの残りの部分の平面から上方に曲げられるため、対応する除去可能な部分を除去するために、消費者によって非常に容易に掴まれ得る。それぞれのバリアパッチは、任意で、対応する除去可能な部分のつまみ部分の真下に伸びてよい。シールがトレイに固定されると、つまみ部分の真下に伸びるバリアパッチのいずれの部分もまた、バリアフィルム残りの部分の平面から上方に曲げられることになる。
【００２３】
直立突出部は、トレイの上面の平面から上方に向けて、対応するキャビティから離れる方向に傾斜してよい。
【００２４】
除去可能な部分およびバリアパッチが、好適な、サイズ、形状および全体的な構成を有してよく、カバーフィルムおよびバリアフィルムに形成されるあらかじめ形成された分離の線によってそれぞれ画定されることが、容易に理解されるであろう。
【００２５】
バリアフィルムの大部分を剥離してキャビティ上にカバーフィルムを接着する前にカバーフィルムの端部をトレイの縁部に接着するために、バリアフィルムはその一方の端部近くにさらなる所定のカットラインまたは引き裂き線を有することによって、除去されたときにカバーフィルムの下側に剥離可能な接着剤の位置固定領域を露出する除去可能な細片を画定することができる。カバーフィルムをトレイの上面に接着するプロセスを補助するために、トレイは直立したカバーフィルム配置手段を有することができる。カバーフィルムは、カバーフィルムをトレイに接着する前に１つまたは２つ以上のキャビティと対応する除去可能な部分とが一致するようなトレイ上のカバーシートの正確な位置付けのために協働する手段を有し得る。トレイの上面にバリアフィルムが固定される場合、トレイは直立したシール配置手段を有し得る。シールは、バリアフィルムをトレイに接着する前に１つまたは２つ以上のキャビティと対応する除去可能な部分とが一致するようなトレイ上のシールの正確な位置付けのために協働する手段を有し得る。
【００２６】
このシールは、好ましくは、カバーフィルムおよび／またはバリアフィルムの適切な材料または厚みを任意に選択することによって高い蒸気遮断性を有することができる。１つまたは２つ以上のキャビティを覆う領域において蒸気の浸透性を低くすることは、キャビティに一時的に入れられる薬剤が、容器内での薬剤の貯蔵中に周囲湿度の変動から保護され得るということを意味する。容器が、シールを通して個別のキャビティ内に入り込める水分が多すぎると劣化したり損傷したりするおそれのある食品や電子部品といった消費者向製品の貯蔵および分配のために使用される場合もまた、蒸気の浸透性を低くすることは特に重要である。しかしながら、シールは、光、または例えば酸素のような大気ガスの透過を減少するか、または防ぐために、遮光性または気体遮断性などの、他の選択された遮断特性を備えてよいことが理解されよう。シールはまた、静電気遮断性を備えてよい。
【００２７】
カバーフィルムは、除去可能な部分の配列を画定するあらかじめ形成された分離の線を有してよい。バリアフィルムはまた、バリアパッチの配列を画定するあらかじめ形成された分離の線を有してもよく、それぞれのバリアパッチは、除去可能な部分に対応し、使用時にキャビティの１つを覆うように成形され、且つ、サイズが調整されている。
【００２８】
カバーフィルムは、容器に貯蔵され、分配される消費者向製品の種類によって、アルミニウム箔のような金属箔、金属化ポリマーフィルムもしくは紙、単層もしくは多層の構造を有するプラスチックフィルムまたはこれらのあらゆる組み合わせであってよい。消費者向製品が、誤ってまたは故意にカバーフィルムを介して押されることがないように、カバーフィルムは、好ましくは（あらかじめ形成された切り取り線の周囲を除いて）破れにくい。
【００２９】
バリアフィルムは、容器に貯蔵され、取り出される消費者向製品の種類によって、アルミニウム箔のような金属箔、金属化ポリマーフィルムもしくは紙、単層もしくは多層の構造を有するプラスチックフィルムまたはこれらのあらゆる組み合わせであってよい。
【００３０】
本発明は、消費者向製品を受容するための１つまたは２つ以上の個別のキャビティが形成されている略平らな上面を有するトレイを含んでいる、消費者向製品の貯蔵および分配のための容器に上記のようなシールをつける方法であって、１つまたはそれぞれのバリアパッチが対応するキャビティを覆うようにトレイの略平らな上面の上方にシールを配置する工程と、ヒートシール接着剤を活性化するために熱を加えることによってバリアフィルムをトレイの略平らな上面に固定する工程とを含む方法をさらに提供する。同じシールが、剥離可能な接着剤を露出するためにバリアフィルムの大部分が剥離される従来の「コールドシール」プロセスを使用する容器にもつけられることが、容易に理解されるだろう。
【００３１】
ヒートシール接着剤またはコーティングは、トレイの上面に接触するように置かれるバリアフィルムの平らな表面につけられる。接着剤は、好ましくは、指触乾燥状態になるラッカーであり、加熱時にバリアフィルムをトレイの上面に接着させる。接着剤は、バリアフィルムの平らな表面全体に、またはバリアフィルムをトレイに接着するのに必要な領域だけに塗布してよい。例えば、バリアフィルムの平らな表面に接着剤のパターンを付着させるために標準的な印刷技術を使うことができる。あるいは、接着剤がトレイの略平らな上面に塗布されてもよい。
【００３２】
好適なヒートシール接着剤の例としては、スウェーデン、トレレボリ（Trelleborg）ののフリントグループ（登録商標）ナローウェブ（Flint Group Narrow Web）のＵＶフレキソ汎用接着剤（製品コード：ＵＶＨ０１００１）が挙げられよう。
【００３３】
バリアフィルムがバリアパッチの配列を画定するあらかじめ形成された分離の線を有する場合、接着剤はバリアパッチ間の領域だけに塗布できる。これは、バリアパッチがトレイの略平らな上面の狭い境界または領域を覆うように形成され、且つ、サイズを調整される場合、特に重要である。この場合、バリアパッチが誤ってトレイの上面に付着することがないように、それぞれのバリアパッチの周りに、接着剤が塗布されていない少なくとも狭い境界または領域があり得る。
【００３４】
シールは、例えば、ヒートヒーティング素子（heat-heating element）を使って直接的に、または好適な超音波または無線周波数（ＲＦ）加熱プロセスで間接的に加熱できる。加熱は部分的であってよい。より具体的には、ヒートシール接着剤がバリアフィルムの平らな表面全体に塗布される場合は、好適な形状のヒートシール素子の適用によってヒートシール素子がシールに接触する領域においてのみ接着剤が活性化されてよい。従って、バリアフィルムは、シールが十分に加熱され、ヒートシール接着剤が活性化されている領域においてのみトレイに付着されることになる。バリアフィルムがバリアパッチの配列を画定するあらかじめ形成された分離の線を有する場合、接着剤は、好ましくはバリアパッチ間の領域でのみ活性化される。
【００３５】
シールの性能に多大な影響を及ぼすことになるため、シールを加熱する場合、１つまたはそれぞれの除去可能な部分と、対応するバリアパッチとの物理的一体性が損なわれないように注意が払われるべきことが容易に理解されよう。適切な「ヒートシール」プロセスのために正しく選択する必要があり得るパラメータは、ヒートシール温度、ドウェル時間（dwell time）（例えば、ヒートシール素子がシールに適用されている期間）、ヒートシールの圧力（例えば、ヒートシール素子によってシールに加えられる圧力）、ならびにヒートシール接着剤の融点、熱的安定性、流動性および厚さを含んでよい。
【００３６】
ヒートシール接着剤は、カットラインまたは引き裂き線がバリアフィルムに形成される前または後にバリアフィルムに塗布され得る。
【００３７】
シールが接着される容器は、所定の投薬計画に従って薬剤を収容および分配するための複数の区画を有する容器であって、個別のキャビティの配列がトレイの略平らな上面に形成される。ユーザが開ける順序を正しく決定でき、個別の除去可能な部分を解放できるように、シールには投薬計画の順序の詳細を印刷することができる。カバーフィルムの個別の除去可能な部分は上方を向くトレイの略平らな上面で解放されるので、破ることが可能な箔でカバーされた一般的に逆さまの状態で開けられるブリスター・パックにおいて開ける際に薬剤を床にこぼすリスクが大幅に減少する。
【００３８】
キャビティの内容物を分配するために、消費者は、単に人差し指で対応する除去可能な部分を押し下げる。これは消費者に、引き裂き線に沿って破ることによってカバーフィルムの残りの部分から除去可能な部分を解放することを求めるかもしれない。下方のバリアパッチが対応する除去可能な部分よりも大きいアレンジにおいては、それはまたカバーフィルムの重なっている領域から剥離されなければならない。除去可能な部分を解放するために必要な力は、好ましくは、破ることが可能なカバーシートを介して消費者向製品を押すために必要な力よりも小さい。
【００３９】
そして、解放された除去可能な部分は、消費者向製品上でキャビティ内へと押し下げられ、人差し指と親指との間で強く掴むことができるまで、キャビティの側面において上方にスライドされることによって、カバーフィルムに新しくできた開口を通して除去できる。あるいは、１つまたは２つ以上のキャビティが圧縮可能となるように、トレイが好適な材料（好ましくは、プラスチック）から形成されている場合、キャビティの内容物は、後方から、消費者向製品をカバーフィルムを突き破って押すことによって分配され得る。
【００４０】
それぞれの除去可能な部分が特許文献２に記載されるようなつまみ部分を含む場合、キャビティの内容物は、つまみ部分を掴み、対応する除去可能な部分およびバリアパッチを除去することによって分配され得る。
【００４１】
本発明は、さらに、消費者向製品を受容するための１つまたは２つ以上の個別のキャビティが形成されている略平らな上面を有するトレイと、消費者向製品を１つまたは２つ以上のキャビティ内に留めておくために１つまたは２つ以上のキャビティをシールするカバーフィルムであって、除去可能な部分がその分離の線に沿って除去されるまで消費者向製品をそのキャビティ内に留めておくように、キャビティごとに除去可能な部分を画定するあらかじめ形成された分離の線を有するカバーフィルム、および、剥離可能な接着剤の層によって分離可能にカバーフィルムに固定されるバリアフィルムであって、使用時に対応するキャビティを覆うように成形され、且つ、サイズを調整された除去可能な部分ごとにバリアパッチの外周を画定するあらかじめ形成された分離の線を有するバリアフィルムを含んでいるシールとを含んでおり、バリアフィルムがヒートシール接着剤でトレイの略平らな上面に固定される、消費者向製品の貯蔵および分配のための容器を提供する。
【００４２】
分配容器およびシールについてのさらなる詳細は、上述のとおりである。
【図面の簡単な説明】
【００４３】
【図１】複数の区画を有する分配容器の成型トレイの上面図である。
【図２】カバーフィルムの平面図である。
【図３】本発明によるシールを形成するために図２のカバーフィルムと合わせて使用されるバリアフィルムの平面図である。
【図４】図２のカバーフィルムが図３のバリアフィルムに固定されている本発明によるシールの平面図である。
【図５】図４のシールと組み合わせた図１の成型トレイの線Ａ−Ａに沿った断面図である。
【発明を実施するための形態】
【００４４】
本発明による分配容器は、幅広い消費者向製品の貯蔵および分配に好適ではあるが、本明細書の以下の部分では、主に、所定の投薬計画に従った引き続く処方のために混合された薬剤を編成および貯蔵する、複数の区画を有する容器としての使用に焦点を合わせることとする。
【００４５】
図１を参照すると、複数の区画を有する容器の作成における使用のための成型トレイ１が示されている。トレイ１は、シート状の熱可塑性の材料から形成され、また例えばプレス成型または真空成型によって形成してよい。トレイ１は、４×７列の個別のキャビティ４が形成されている略平らな上面２を有する。必要とされる特定の投薬計画に応じた個別のキャビティの他の配列が可能であるということは、容易に理解されるであろう。
【００４６】
キャビティ４の配列のすぐ上の平坦なヘッダ部分６は、商標または薬品表示（pharmacy label）といった情報を印刷するために設けられる。しかしながら、他のアレンジにおいては、このヘッダ部分は完全に省略してよいし、カバーフィルムおよびバリアフィルムのサイズおよび形状もこれに合わせたものとなるであろう。トレイは、ヘッダ部分６の上方の角近くにシール１０をキャビティ４に一致するように正確に位置づけるための、一体成型された２つの直立した配置ブラケット８を備える。
【００４７】
シール１０は積層構造であって、これは図２〜５を参照すると最もよく理解できる。シールの最上層は、図２に示されるカバーフィルム１２である。これは、平滑で柔軟性があり、好ましくは透明なシート状のプラスチックフィルムであり、その外形は、合わせて使用されるトレイ１の外形に概して合致する。カバーフィルム１２の好適な材料はポリプロピレンである。カバーフィルム１２内に形成される一組の配置用切り欠き（location rebates）１４は、互いに正確に揃うように、トレイ１上にシールを正確に位置づけるための配置ブラケット８と協働する。
【００４８】
カバーフィルム１２は４×７列の剥ぎ取り部分１６を含み、これらのそれぞれは、シールがトレイ１の上面２に接着されるとその下にある、成型トレイ１内のキャビティ４の外周を完全に囲むように伸びるミシン目１８によって画定される。ミシン目は、カバーフィルム１２における強度の低い所定のゾーンを表す。１つの剥ぎ取り部分１６ａは、例証の目的で、下にあるキャビティ４の外周を完全には囲まないように伸びるミシン目１８ａによって画定される。ミシン目１８ａが破られても、剥ぎ取り部分１６ａがカバーフィルム１２に付いたままとなるように、ミシン目１８ａの端部がブリッジ領域１７によって分離される。１つの剥ぎ取り部分１６ｂは、同様に例証の目的で、特許文献２に記載されるようなつまみ部分１９を含む。シールがトレイ１の上面２に接着されると、つまみ部分をカバーフィルム１２の残りの部分の平面から上方に曲げるように、上方に伸びる突出部５はつまみ部分１９の真下に位置する。
【００４９】
図４および５に示されるように、カバーフィルム１２の下側全体が、剥離可能な接着剤の層３０によってコーティングされ、バリアフィルム２０に接着される。バリアフィルム２０は、平滑で柔軟性があり、好ましくは透明なシート状のプラスチックフィルムであり、その外形は、合わせて使用されるカバーフィルム１２の外形に概して合致する。バリアフィルム２０の好適な材料は、ポリプロピレンである。
【００５０】
バリアフィルム２０は、カバーフィルム１２の配置用切り欠き１４と一致する２つの配置用切り欠き２２を有する。ミシン目２４は、使用時にそれぞれの剥ぎ取り部分１６の下側に接着され図１のそれぞれのキャビティ４上に直接位置する蒸気に不浸透性であるバリアパッチ２６の４×７の配列の外周を画定する。バリアパッチ２６は、使用時にそれらがそれぞれのキャビティ４の外周を完全に囲うように伸びるトレイ１の略平らな上面２の領域を覆うように、剥ぎ取り部分１６よりもわずかに大きい。しかしながら、バリアパッチは、剥ぎ取り部分１６と同じサイズでも、またはこれより小さくてもよい。図示されていないが、剥ぎ取り部分が特許文献２に記載されるようなつまみ部分を含む場合は、バリアパッチは少なくとも部分的につまみ部分の下に伸びてよい。
【００５１】
カバーフィルム１２におけるミシン目１８、１８ａが、カバーフィルムの材料全体にわたって伸びるカットラインまたは切り込み線に置き換えられ得ることが容易に理解されよう。同様に、バリアフィルム２０におけるミシン目２４は、バリアフィルムの材料全体にわたって伸びるカットラインまたは切り込み線に置き換えられ得る。通常、カットラインまたは引き裂き線は、カバーフィルム１２およびバリアフィルム２０が互いに固定されることによって積層シール１０が形成された後にダイカッター（die cutter）を使って形成される。一組のロータリーダイカッターは、シール１０の片側からカバーフィルム１２にカットラインまたは引き裂き線を形成する１つのダイカッターと、シールの他方の側からバリアフィルム２０にカットラインまたは引き裂き線を形成するもう１つのダイカッターと併せて使用できる。カットラインまたはミシン目線の場合は、シール全体の物理的一体性が維持されるように注意する必要がある。例えば、実際には大体の場合、カバーフィルム１２において形成されるカットラインまたはミシン目は、剥離可能な接着剤の層３０内にわずかに伸びることになるが、それぞれのロータリーダイカッターは、好ましくは、カットラインまたはミシン目線がバリアフィルム２０内にあまり伸びないように設定される。
【００５２】
使用時は、薬剤師もしくは介護人、または患者自身が、７日間または２８日間の投薬計画に従って、丸薬、錠剤および／またはカプセル形態の薬剤をトレイ１の上面２に形成される２８個の個別のキャビティ４の間で分配することになる。例えば、７行のキャビティは１週間の日数を表し、４つの列は、２８日間の投薬サイクルの連続した４週間または各治療日について４つの異なる投薬時間を表すことができる。後者の場合、第一列は、朝食時、第２列は昼食時、第３列は夕方および第４列が就寝時を表すことができる。２８個の個別のキャビティに同一の薬剤を分配することもできるし、または、様々な薬剤を混合したものを各キャビティに入れることもできる。
【００５３】
キャビティ４が適切に充填されると、シール１０はトレイの上面２に固定される。
【００５４】
図３および４は、ヒートシール接着剤２８のパターンが、トレイ１の上面２に接触するように置かれることになるバリアフィルム２０の外面に塗布されることを示す。接着剤２８はバリアパッチ２６の外側の領域にのみ塗布される。しかしながら、実務上、ヒートシール接着剤はバリアフィルム２０の外面全体に塗布されてもよい。
【００５５】
カバーフィルム１２の剥ぎ取り部分１６がトレイに形成されたキャビティ４と一致するように、シール１０が配置ブラケット８に隣接する配置用切り欠き１４、２２と共にトレイ１上に置かれる。バリアフィルム２０のバリアパッチ２６は、それぞれのキャビティ４を完全に囲むトレイの略平らな上面の狭い境界または領域２ａを覆う。
【００５６】
そして、ヒートシール接着剤２８を活性化してバリアフィルム２０をトレイ１の上面２に接着するために、シーリング装置（図示せず）を使用してシール１０が加熱される。ヒートシール接着剤は、バリアフィルムの外面全体（またはほぼ全体）に塗布される場合、部分的な加熱などによって一定の領域において選択的に活性化されてもよい。
【００５７】
図５は、ヒートシール接着剤２８によってトレイ１の上面２に固定されたシール１０を示す。ヒートシール接着剤は、バリアパッチ２６の外周から離れているため、バリアパッチ２６はトレイ１の上面２に固定されない。
【００５８】
図５はまた、剥ぎ取り部分およびバリアパッチを画定するカバーフィルム１２およびバリアフィルム２０におけるミシン目１８および２４の相対的な位置を示す。
【００５９】
シールはまた、バリアフィルム２０の大部分を剥離して剥離可能な接着剤の層３０を露出することによってトレイ１の上面２に接着され得る。バリアフィルム２０は、バリアパッチ２６の周りで破れるが、依然としてカバーフィルム１２の下側に接着されている。
【００６０】
個別のキャビティ４の１つに貯蔵される薬剤Ｍを分配するためには、ユーザは上を覆う剥ぎ取り部分１６を単に押し下げるだけである。十分な力を加えるとミシン目１８および２４が破れ、剥ぎ取り部分１６およびその下のバリアパッチ２６がカバーフィルム１２およびバリアフィルム２０の残りの部分からそれぞれ解放されることになる。剥ぎ取り部分１６を解放するプロセスにおいて、その下のバリアパッチ２６の外周は、剥ぎ取り部分の外周を囲むカバーフィルム１２の狭い境界または領域１２ａから剥離されることになる。剥ぎ取り部分およびバリアパッチは、一度解放されると薬剤Ｍ上でキャビティ４内に押し下げられ得る。剥ぎ取り部分１６およびバリアパッチ２６は、人差し指と親指との間で強く掴まれるまでキャビティ４の側面において上方にスライドされることによって、シール１０に新しくできた開口を通して容易に取り除かれる。その後薬剤Ｍは、複数の区画を有する容器を逆さにすることによって外に出されるか、または手でつまみ出される。
【００６１】
剥ぎ取り部分１６ａは、同様に解放されるが、ブリッジ領域によってカバーフィルム１２の残りの部分に付着したままである。
【００６２】
薬剤Ｍは、いずれの接着剤にも接触しない。これは、それぞれの剥ぎ取り部分１６の下側がバリアパッチ２６によって完全にカバーされるからである。
【００６３】
投薬計画のタイミングに関するユーザへの説明の印字については、トレイ１（シール１０が透明な場合）またはシール１０に印刷できる。同様に、複数の区画を有する容器の製造者もしくは薬局、または患者を示す印刷は、トレイ１のヘッダ部分４またはその部分を覆うシール１０に印刷できる。
【図１】
2013544714.tif 000003
【図２】
2013544714.tif 000004
【図３】
2013544714.tif 000005
【図４】
2013544714.tif 000006
【図５】
2013544714.tif 000007
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
消費者向製品を受容するための１つまたは２つ以上の個別のキャビティが形成されている略平らな上面を有するトレイを含んでいる、前記消費者向製品の貯蔵および分配のための容器に使用されるシールであって、該シールは、
前記消費者向製品を前記１つまたは２つ以上のキャビティ内に留めておくための前記１つまたは２つ以上のキャビティをシールするカバーフィルムであって、キャビティごとに除去可能な部分を画定するあらかじめ形成された分離の線を、前記除去可能な部分が該分離の線に沿って除去されるまで前記消費者向製品を前記キャビティ内に留めておくために有するカバーフィルム、および、
剥離可能な接着剤の層によって分離可能に前記カバーフィルムに固定されるバリアフィルムであって、使用時に対応するキャビティを覆うように成形され、且つ、サイズを調整された除去可能な部分ごとにバリアパッチの外周を画定するあらかじめ形成された分離の線を有するバリアフィルム
を含んでおり、ここで、
使用時に前記トレイの前記略平らな上面に接触するように置かれる前記バリアフィルムの平らな表面の少なくとも一部が、熱が加えられると前記バリアフィルムを前記トレイの前記略平らな上面に固定するように活性化されるヒートシール接着剤でコーティングされる
消費者向製品の貯蔵および分配のための容器に使用されるシール。
【請求項２】
１つまたはそれぞれの除去可能な部分の外周が、前記カバーフィルム全体にわたって伸びるあらかじめ形成されたカットライン、あらかじめ切り込みを付けられるかもしくはあらかじめミシン目を入れられた引き裂き線、またはこれらのあらゆる組み合わせによって画定される請求項１記載のシール。
【請求項３】
１つまたはそれぞれのバリアパッチの外周が、前記バリアフィルムの材料全体にわたって伸びるあらかじめ形成されたカットライン、あらかじめ切り込みを付けられるかもしくはあらかじめミシン目を入れられた引き裂き線、またはこれらのあらゆる組み合わせによって画定される請求項１記載のシール。
【請求項４】
１つまたはそれぞれの除去可能な部分を画定する前記分離の線が、前記対応するキャビティの外周を完全に囲んで、前記対応するバリアパッチの外周の内側だけに伸びる請求項１記載のシール。
【請求項５】
１つまたはそれぞれの除去可能な部分が、対応する前記分離の線の切れ目によって画定されるブリッジ領域によって前記カバーフィルムの残りの部分に付けられる請求項１記載のシール。
【請求項６】
１つまたはそれぞれのバリアパッチが、対応する前記キャビティの外周を完全に囲むように伸びる前記トレイの前記略平らな上面の領域を使用時に覆うように対応する前記除去可能な部分より大きい請求項１記載のシール。
【請求項７】
１つまたはそれぞれのバリアパッチが、前記除去可能な部分が前記カバーフィルムの残りの部分から解放されるときに、対応する前記除去可能な部分の外周を画定する前記分離の線のすぐ外側で前記カバーフィルムの狭い領域から剥離される請求項６に記載のシール。
【請求項８】
１つまたはそれぞれの除去可能な部分がつまみ部分を含む請求項１記載のシール。
【請求項９】
１つまたはそれぞれのバリアパッチが、少なくとも部分的につまみ部分の真下に伸びる請求項８に記載のシール。
【請求項１０】
１つまたはそれぞれのバリアパッチが、前記トレイの前記上面に固定されない請求項１記載のシール。
【請求項１１】
蒸気遮断性、遮光性、酸素遮断性および静電気遮断性のうち１つまたは２つ以上を有する請求項１記載のシール。
【請求項１２】
前記カバーフィルムが除去可能な部分の配列を画定するあらかじめ形成された分離の線を有し、
前記バリアフィルムがバリアパッチの配列を画定するあらかじめ形成された分離の線を有し、
それぞれのバリアパッチが除去可能な部分に対応しており、使用時に前記キャビティの１つの上を覆うように成形され、且つ、サイズを調整されている請求項１記載のシール。
【請求項１３】
前記カバーフィルムが、金属箔、金属化ポリマーフィルムもしくは紙のシート、単層もしくは多層構造を有するプラスチックフィルム、またはこれらのあらゆる組み合わせである請求項１記載のシール。
【請求項１４】
前記バリアフィルムが、金属箔、金属化ポリマーフィルムもしくは紙のシート、単層もしくは多層構造を有するプラスチックフィルム、またはこれらのあらゆる組み合わせである請求項１記載のシール。
【請求項１５】
前記バリアフィルムの平らな表面のほぼ全体が前記接着剤でコーティングされる請求項１記載のシール。
【請求項１６】
前記バリアフィルムの平らな表面が前記接着剤のパターンでコーティングされる請求項１記載のシール。
【請求項１７】
消費者向製品を受容するための１つまたは２つ以上の個別のキャビティが形成されている略平らな上面を有するトレイを含んでいる、前記消費者向製品の貯蔵および分配のための容器にシールをつける方法であって、該シールは
前記消費者向製品を前記１つまたは２つ以上のキャビティ内に留めておくための前記１つまたは２つ以上のキャビティをシールするカバーフィルムであって、キャビティごとに除去可能な部分を画定するあらかじめ形成された分離の線を、前記除去可能な部分が該分離の線に沿って除去されるまで前記消費者向製品を前記キャビティ内に留めておくために有するカバーフィルム、および、
剥離可能な接着剤の層によって分離可能に前記カバーフィルムに固定されるバリアフィルムであって、使用時に対応するキャビティを覆うように成形され、且つ、サイズを調整された除去可能な部分ごとにバリアパッチの外周を画定するあらかじめ形成された分離の線を有するバリアフィルム
を含んでおり、ここで、使用時に前記トレイの前記略平らな上面に接触するように置かれる前記バリアフィルムの平らな表面の少なくとも一部は、熱が加えられると前記バリアフィルムを前記トレイの前記略平らな上面に固定するように活性化されるヒートシール接着剤でコーティングされ、
前記方法は、
１つまたはそれぞれのバリアパッチが対応するキャビティを覆うように、前記トレイの前記略平らな上面にシールを置く工程、および
ヒートシール接着剤を活性化するために熱を加えることによって前記バリアフィルムを前記トレイの前記略平らな上面に固定する工程
を含んでいる方法。
【請求項１８】
シーリング装置を使用して実行される請求項１７記載の方法。
【請求項１９】
シールが前記シーリング装置に手動で供給される請求項１８記載の方法。
【請求項２０】
複数のシールが供給ユニットから前記シーリング装置に連続的に供給される請求項１８記載の方法。
【請求項２１】
消費者向製品の貯蔵および分配のための容器であって、
消費者向製品を受容するための１つまたは２つ以上の個別のキャビティが形成されている略平らな上面を有するトレイと、
前記消費者向製品を前記１つまたは２つ以上のキャビティ内に留めておくために前記１つまたは２つ以上のキャビティをシールするカバーフィルム、および、剥離可能な接着剤の層によって解放可能に前記カバーフィルムに固定されるバリアフィルムを含むシール
とを含んでおり、
前記カバーフィルムが、キャビティごとに除去可能な部分を画定するあらかじめ形成された分離の線を、前記除去可能な部分が該分離の線に沿って除去されるまで前記消費者向製品を前記キャビティ内に留めておくために有し、
前記バリアフィルムが、使用時に対応するキャビティを覆うように成形され、且つ、サイズを調整された除去可能な部分ごとにバリアパッチの外周を画定するあらかじめ形成された分離の線を有しており、ここで、
前記バリアフィルムが、ヒートシール接着剤によって前記トレイの前記略平らな上面に固定される
消費者向製品の貯蔵および分配のための容器。
【国際調査報告】
2013544714.tif 000008
2013544714.tif 000009